(57)【要約】【課題】薬液の容量が異なる場合であっても、一品種のハブルアーロックに統一することができ、コストの削減を図ることが可能な容器兼用注射器を提供することを目的とする。【解決手段】容器兼用注射器３０において、シリンダ１の先端側部分を外径及び内径が一段縮径した小径部３とするとともに、該小径部３内に前部ストッパー５ａを液密に嵌入させ、ハブルアーロック２０の基端部２１に形成された嵌着孔２４を小径部３に外嵌されることによりシリンダ１に取り付け、ハブルアーロック２０における嵌着孔２４の前方側に、前部ストッパー５ａが移入可能であって、該前部ストッパー５ａが移入した際にシリンダ１内の薬液ｍをルアー先２２に導入するバイパス溝２６を備えたバイパスチャンバー２５を設ける。【選択図】図１
2010094440.tif 000002
【特許請求の範囲】
【請求項１】
略円筒状をなすシリンダと、該シリンダの先端側に取り付けられ、注射針に薬液を導入するルアー先を有するハブルアーロックと、前記シリンダ内の後端側に液密に嵌入される後部ストッパーと、前記シリンダの後端側から該シリンダ内に挿入されて前記後部ストッパーに連結されるプランジャロッドとを備えた容器兼用注射器において、
前記シリンダの先端側部分が、外径及び内径が一段縮径した小径部とされるとともに、該小径部内に前部ストッパーが液密に嵌入され、
前記ハブルアーロックは、その基端部に形成された嵌着孔が前記小径部に外嵌されることにより前記シリンダに取り付けられており、
前記ハブルアーロックにおける前記嵌着孔の前方側に、前記前部ストッパーが移入可能であって、該前部ストッパーが移入した際にシリンダ内の薬液を前記ルアー先に導入するバイパス溝を備えたバイパスチャンバーが設けられたことを特徴とする容器兼用注射器。
【請求項２】
前記後部ストッパーのシリンダ先端側を向く面に、前記小径部に液密に進入可能な突出部が形成されたことを特徴とする請求項１に記載の容器兼用注射器。
【請求項３】
前記小径部の先端外周に、前記シリンダの径方向外側に張り出すフランジ部が形成され、
前記嵌着孔に、前記フランジ部が嵌着可能な環状溝が形成されたことを特徴とする請求項２に記載の容器兼用注射器。
【請求項４】
前記シリンダにおける前記小径部と該小径部以外の部分であるシリンダ本体との境界部が、前記シリンダ本体の先端から球面状に縮径して前記小径部に至る球面肩部とされていることを特徴とする請求項１から３のいずれか一項に記載の容器兼用注射器。  
【発明の詳細な説明】
【技術分野】
【０００１】
本発明は、薬液を予め充填・保管しておき、使用時に包装から取り出して直ちに使用することが可能な容器兼用注射器に関する。
【背景技術】
【０００２】
容器兼用注射器は、予め薬液が充填されているため、医療機関において煩雑な操作をすることなく包装から取り出して直ちに使用できる。よって、利便性に優れていることから、医師や看護師等の医療業務に携わる者の作業軽減に大いに貢献し、このため多くの病医院で採用されている。
【０００３】
従来、例えば図４に示すように、容器兼用注射器４１として、シリンダ４２と、該シリンダ４２内の前後端側に嵌入され、シリンダ４２内に充填された薬液を液密に封止する前部ストッパー４５ａ及び後部ストッパー４５ｂと、シリンダ４２の先端に外嵌され、前部ストッパー４５ａが入り込むバイパスチャンバー４８及びその先端の注射針を取り付けるためのルアー先４９が設けられたハブルアーロック４３と、シリンダ４２の後端に嵌着されたフィンガーグリップ４４と、シリンダ４２の後端部からシリンダ４２内に挿入されて後部ストッパー４５ｂに連結されたプランジャロッド４６とを備えたものが知られている（例えば、特許文献１参照）。
【０００４】
このような容器兼用注射器の使用時には、プランジャロッド４６によって後部ストッパー４５ｂを押し込むことで、薬液と共に前部ストッパー４５ａを前方へ押し進める。そして、前部ストッパー４５ａがシリンダ４２から押し出されてハブルアーロック４３のバイパスチャンバー４８内に入り込むと、前後部ストッパー４５ａ、４５ｂ間に密封されていた薬液における先端側の密封が解除される。これにより、当該薬液がシリンダ４２内からバイパスチャンバー４８内に流出し、前部ストッパー４５ａとバイパスチャンバー４８との隙間を流れ、該バイパスチャンバー４８の内壁に設けられたバイパス溝４８ａに沿ってルアー先４９の内面に誘導されて注射針へと導入される。
【０００５】
一方、例えば図５に示すように、従来から注射器のシリンダ５０においては、その先端部が一段縮径した小径部５１とされて、該小径部５１からさらに先端側に向かってテーパ状に縮径するノズル部５２が一体に形成されたものが知られている（例えば、特許文献２参照）。このシリンダ５０を使用する際には、別途成形されたハブルアーロック５３を小径部５１に圧入・固定するとともに、該ルアーロック５３に注射針（図示省略）を装着する。
【特許文献１】特開２００７−１１１１５６号公報
【特許文献２】特開２００４−３２９５０４号公報
【発明の開示】
【発明が解決しようとする課題】
【０００６】
ところで、上記従来の容器兼用注射器４１においては、ハブルアーロック４３はシリンダ４２の先端に外嵌されることによって取り付けられており、また、シリンダ４２の内側には前部ストッパー４５ａが嵌入されていることから、薬液の増量に伴ってシリンダ４２を大径とした際には、ハブルアーロック４３及び前部ストッパー４５ａも同様に大径とする必要がある。
即ち、従来の容器兼用注射器４１においては、種々の外径のシリンダ４２を作成するに従い、これに対応するようにハブルアーロック４３及び前部ストッパー４５ａも種々の径のものを作成する必要があるため、コストが増加してしまうという問題がある。
【０００７】
この点、一般的な注射器であるならば、上記特許文献２に記載のもののように、シリンダ５０先端の小径部５１を一定の外径に形成しておけば、これに外嵌されるハブルアーロック５３を一種類に統一することができるとも考えられる。
【０００８】
しかしながら、容器兼用注射器４１においては、前部ストッパー４５ａ及びこれが移入されるバイパスチャンバー４８を設ける必要があるため、単にシリンダ４２先端を小径化したのみではこれらを設けるスペースは構造上確保することができず、容器兼用注射器４１としての機能を成すことができないという問題がある。
【０００９】
この発明は、このような課題に鑑みてなされたものであって、薬液の容量が異なる場合であっても、一品種のハブルアーロックや前部ストッパーに統一することができ、コストの削減を図ることが可能な容器兼用注射器を提供することを目的とする。
【課題を解決するための手段】
【００１０】
前記課題を解決するため、この発明は以下の手段を提案している。
即ち、本発明に係る容器兼用注射器は、略円筒状をなすシリンダと、該シリンダの先端側に取り付けられ、注射針に薬液を導入するルアー先を有するハブルアーロックと、前記シリンダ内の後端側に液密に嵌入される後部ストッパーと、前記シリンダの後端側から該シリンダ内に挿入されて前記ストッパーに連結されるプランジャロッドとを備えた容器兼用注射器において、前記シリンダの先端側部分が、外径及び内径が一段縮径した小径部とされるとともに、該小径部内に前部ストッパーが液密に嵌入され、前記ハブルアーロックは、その基端部に形成された嵌着孔が前記小径部に外嵌されることにより前記シリンダに取り付けられており、前記ハブルアーロックにおける前記嵌着孔の前方側に、前記前部ストッパーが移入可能であって、該前部ストッパーが移入した際にシリンダ内の薬液を前記ルアー先に導入するバイパス溝を備えたバイパスチャンバーが設けられたことを特徴とする。
【００１１】
このような特徴の容器兼用注射器によれば、プランジャロッドを介して後部ストッパーを前方側に押し込むと、薬液を介して前部ストッパーが前方側に押圧されることにより該前部ストッパーがバイパスチャンバーに移入し、薬液はバイパス溝を流通してルアー先に導入される。よって、未使用時にはシリンダ内にて前後部ストッパーにより薬液を封入することができ、使用時には上記のように前部ストッパーがバイパスチャンバー内に移入することで薬液をルアー先へと導入することができるため、容器兼用注射器としての機能を果たすことができる。
また、シリンダ先端側部分に形成された小径部にハブルアーロックが外嵌される構成とすることにより、シリンダの容量を変更するに際して該シリンダの外径が異なるものとなった場合であっても、小径部の径は容量に関わらず一定に形成しておくことができるため、ハブルアーロック及び前部ストッパーの径を一品種に統一することが可能となる。
さらに、シリンダ先端の小径化に伴って、前部ストッパー及びハブルアーロックの小型化を図ることもできるため、これらの材料コストを削減することが可能となる。
【００１２】
また、本発明に係る容器兼用注射器は、前記後部ストッパーのシリンダ先端側を向く面に、前記小径部に液密に進入可能な突出部が形成されたことを特徴とする。  
これにより、プランジャロッドを完全に押し込んだ際に、後部ストッパーの突出部が小径部に進入することから、シリンダ内、特に小径部内に薬液が残留するのを防止することができる。
【００１３】
また、本発明に係る容器兼用注射器は、前記小径部の先端外周に、前記シリンダの径方向外側に張り出すフランジ部が形成され、前記嵌着孔に、前記フランジ部が嵌着可能な環状溝が形成されたことを特徴とする。
これにより、ハブルアーロックを小径部に強固に取り付けることが可能となる。
【００１４】
さらに、本発明に係る容器兼用注射器においては、前記シリンダにおける前記小径部と該小径部以外の部分であるシリンダ本体との境界部が、前記シリンダ本体の先端から球面状に縮径して前記小径部に至る球面肩部とされていることを特徴とする。
【００１５】
例えば容器兼用注射器が落下した場合、シリンダ先端の方が重量があることから先端側から地面に落下して、シリンダ本体と小径部との境界部に衝撃が及ぶことが多い。この点、本発明の容器兼用注射器においては、シリンダ本体と小径部との境界部が球面状の球面肩部とされているため、該球面肩部に与えられる衝撃はその球面形状に沿って分散する。これにより、容器兼用注射器の耐衝撃性を向上させることが可能となる。
【発明の効果】
【００１６】
本発明の容器兼用注射器によれば、シリンダの先端側部分にハブルアーロックが外嵌可能な小径部を設けることにより、シリンダに充填される薬液の容量が異なる場合であっても、一品種のハブルアーロック及び前部ストッパーに統一することができ、コストの削減を図ることが可能なる。
【発明を実施するための最良の形態】
【００１７】
以下、本発明の実施の形態に係る容器兼用注射器について、図面を参照して詳細に説明する。図１は実施形態に係る容器兼用注射器の未使用時における側断面図、図２は図１における容器兼用注射器の先端付近の部分拡大図、図３は実施形態に係る容器兼用注射器においてプランジャロッドを押し込む途中過程における側断面図である。
【００１８】
図１に示すように、容器兼用注射器３０は、シリンダ１と、その先端側（図１における左側、以下同じ）に取り付けられたハブルアーロック２０と、シリンダ１の後端側（図１における右側、以下同じ）の外周に嵌着された合成樹脂製のフィンガーグリップ４と、シリンダ１内に充填された薬液ｍを先端側から封止する前部ストッパー５ａ及び後端側から封止する後部ストッパー５ｂと、シリンダ１内に後端側から挿入されて先端部が後部ストッパー５ｂに連結され、該ストッパー５をシリンダ１の軸線方向に往復動させるプランジャロッド６とを備えている。
【００１９】
シリンダ１は、透明なガラスからなる二段円筒形状をなしており、後部ストッパー５ｂが嵌入される内径を有して軸線Ｏに沿って延びるシリンダ本体２と、該シリンダ本体２の先端側部分が一段縮径するようにシリンダ本体２よりも外径及び内径の小さく形成され、前部ストッパー５ａが嵌入される小径部３とから構成されている。この小径部３の先端外周には、シリンダ１の径方向外側に張り出すフランジ部３ａが形成されている。
また、上記シリンダ本体２の内部には薬液ｍが充填されるとともに、後部ストッパー５ｂが該薬液ｍを後端側から封入するようにして嵌入される。
【００２０】
なお、シリンダ本体２と小径部３との境界部は、シリンダ本体２の先端側が球面状に縮径して小径部３に至る球面肩部１ａとされている。
【００２１】
また、上記シリンダ本体２の後端外周には、リング状の突起（図示省略）が設けられており、該突起がフィンガーグリップ４の円筒孔部（図示省略）に形成されたリング状溝（図示省略）に嵌合することによって、フィンガーグリップ４がシリンダ１に強固に取り付けられている。
なお、該フィンガーグリップ４は、シリンダ本体２に別途取り付けられる構成の他、シリンダ本体２と一体に形成されたものであってもよい。
【００２２】
後部ストッパー５ｂは、シリンダ本体２の内径より僅かに大きな外径を有する略円柱形状をなし、薬液ｍに対して耐食性を備える医療用ゴム（例えば、本実施形態ではブチルゴム）から形成されている。この後部ストッパー５ｂは、シリンダ本体２の軸線Ｏ方向中央部からやや後端側に位置するように該シリンダ本体２内に嵌入されている。
なお、この後部ストッパー５ｂのシリンダ１先端側を向く面には、上記小径部３に液密に進入可能な突出部５ｃが形成されている。
【００２３】
一方、前部ストッパー５ａは、シリンダ１の小径部３の内径よりも僅かに大きな外径を有する略円柱形状をなしており、後部ストッパー５ｂと同様に、薬液ｍに対して耐食性を備える医療用ゴム（例えば、本実施形態ではブチルゴム）から形成されている。
この前部ストッパー５ａは、小径部３の先端側からシリンダ本体２内の薬液ｍを封入するように嵌め込まれている。
【００２４】
ハブルアーロック２０は、詳しくは図２に示すように、適度な剛性を備えた透明な合成樹脂から構成された外形二段円柱状をなしており、円筒形状をなす基端部２１と、該基端部２１の先端側に結合され該基端部２１よりも小径に形成されたルアー先２２と、該ルアー先２２の径方向外側に間隔を空けて基端部２１の先端側に結合されたルアーロック部２３とを備えている。
【００２５】
上記基端部２１の内側には、ハブルアーロック２０の後端側に開口する嵌着孔２４及び該嵌着孔２４の前方側（即ち、ルアー先２２側）に位置する有底穴状のバイパスチャンバー２５が形成されている。
また、上記ルアー先２２は、その外周面が先端側に向かうに従って縮径するテーパ外周面２２ａとされており、このルアー先２２内部には、軸線Ｏに沿って先端側から後端側に向かって貫通し、バイパスチャンバー２５の底面２５ａ中央に開口する連通孔２２ｂが穿設されている。
さらに、上記ルアーロック部２３には、図示しない注射針の針基を係止するためのロックネジ２３ａが形成されている。
【００２６】
上記嵌着孔２４は、シリンダ１にハブルアーロック２０を取り付けるために形成されたものであって、その内径はシリンダ１における小径部３の外径と略同一に形成されている。これにより、該嵌着孔２４を小径部３に外嵌させることによってハブルアーロック２０がシリンダ１の先端側に取り付けられるようになっている。また、嵌着孔２４の内周壁の前端部、即ち、該嵌着孔２４のバイパスチャンバー２５との境界部には、軸線Ｏを中心とした円環状をなす環状溝２４ａが形成されている。この環状溝２４ａには、ハブルアーロック２０をシリンダ１先端側に取り付けた際に、小径部３のフランジ部３ａが嵌着する。
【００２７】
上記バイパスチャンバー２５は、その内径が前部ストッパー５ａの外径よりも僅かに大きく形成された有底穴であり、小径部３に嵌入された前部ストッパー５ａが移入可能とされている。また、このバイパスチャンバー２５の内周壁には、シリンダ１の中心軸と平行に延びるとともに周方向に例えば９０度間隔に計４本が設けられたバイパス溝２６が形成されている。さらに、これらバイパス溝２６はそれぞれバイパスチャンバー２５の底部２５ａ中央まで延びており、これにより、バイパス溝２６はルアー先２２の内部に形成された連通孔２２ｂと連通状態とされている。
したがって、前部ストッパー５ａがバイパスチャンバー２５内に移入して嵌まり込んだ状態においては、、シリンダ１内に充填・保存されていた薬液ｍはバイパス溝２６を流通して連通孔２２ｂに導入されることになる。
【００２８】
このような構成の容器兼用注射器３０の使用時には、図３に示すように、プランジャロッド６をシリンダ１内に押し込むと、該プランジャロッド６に連結された後部ストッパー５ｂがシリンダ本体２内を前方側に移動する。この際、後部ストッパー５ｂの移動による押圧力は薬液ｍを介して前部ストッパー５ａに伝達されて、該前部ストッパー５ａが小径部３に嵌着された状態からバイパスチャンバー２５内へと移入し、前後部ストッパー５ａ、５ｂ間に密封されていた薬液ｍにおけるシリンダ１先端側の密封が解除される。
【００２９】
即ち、前部ストッパー５ａがバイパスチャンバー２５内に移入した状態では、薬液ｍがシリンダ１内からバイパスチャンバー２５内に流出して前部ストッパー５ａとバイパスチャンバー２５との隙間を流れ、該バイパスチャンバー２５の内壁面に設けられたバイパス溝２６を流通することでルアー先２２の連通孔２２ｂに誘導されて注射針へと導入される。
そして、プランジャロッド６を完全に押し込んだ際には、図３の破線に示すように、後部ストッパー５ｂの突出部５ｃが小径部３内にシリンダ１後端側から液密に進入し、シリンダ１内の薬液ｍの全てがルアー先２２へと導かれる。
【００３０】
このような容器兼用注射器３０においては、シリンダ１先端側部分に形成された小径部３にハブルアーロック２０における基端部２１の嵌着孔２４が外嵌されることで取り付けられる構成とされているため、例えば、シリンダ１の容量を変更するに際して該シリンダ１の外径が異なるものとなった場合であっても、小径部３の径についてはシリンダ１容量に関わらず一定のものに形成しておくことができる。したがって、容器兼用注射器３０に取り付けるハブルアーロック２０の径を一品種に統一することが可能となり、コストの低減を図ることが可能となる。
同様にして、小径部３内に嵌め込まれる前部ストッパー５ａも一定の径のものに統一することが可能となる。
【００３１】
即ち、本実施形態の容器兼用注射器３０によれば、容器兼用注射器３０としての本来の機能を発揮しつつも、シリンダ１の先端側部分にハブルアーロック２０が外嵌可能小径部３を設けることにより、シリンダ１に充填される薬液ｍの容量が異なる場合であっても、一品種のハブルアーロック２０及び前部ストッパー５ａに統一することが可能となるのである。
【００３２】
また、後部ストッパー５ｂのシリンダ１先端側を向く面に突出部５ｃが形成されたことにより、プランジャロッド６を完全に押し込んだ際に、該突出部５ｃが小径部に進入することから、シリンダ１内、特に小径部３内に薬液ｍが残留するのを防止することができる。
【００３３】
さらに、小径部３の先端外周にシリンダ１の径方向外側に張り出すフランジ部３ａが形成され、ハブルアーロック２０の嵌着孔２４に、フランジ部３ａが嵌着可能な環状溝２４ａが形成されたことにより、ハブルアーロック２０をシリンダ１に取り付けた際には環状溝２４ａにフランジ部３ａが嵌着することになるため、ハブルアーロック２０を強固にシリンダ１に取り付けることが可能となる。
【００３４】
さらにまた、本実施形態の容器兼用注射器３０においては、シリンダ１先端の小径化によって、前部ストッパー５ａ及びハブルアーロック２０の小型化を図ることもできるため、これらの材料コストを削減することが可能となる。
即ち、シリンダ１先端が従来よりも小径とされることに伴って、該シリンダ１先端の内径に嵌め込まれる前部ストッパー５ａも小径に形成することができ、さらに、シリンダ１先端に外嵌されるハブルアーロック２０の小径化を図ることができる。よって、径が小さくなった分だけの材料の削減を図ることができ、より少ないコストでもって経済的に容器兼用注射器３０を作製することが可能となる。
【００３５】
また、シリンダ１には、球面肩部１ａが設けられていることから、シリンダ１自体の強度を向上させることができ、取り扱いによるシリンダ１の破損等を防止することが可能となる。
即ち、例えば容器兼用注射器３０が落下した場合には、シリンダ１先端の方が重量があることから先端側から地面に落下し、シリンダ本体２と小径部３との境界に衝撃が及ぶことが多い。この点、本実施形態の容器兼用注射器３０によれば、このシリンダ２本体と小径部３との境界は球面状の球面肩部１ａとされているため、該球面肩部１ａに与えられる衝撃はその球面形状に沿って分散する。したがって、一点のみに衝撃が集中することによるシリンダ１の破損を防止することができるため、より取扱い性に優れた容器兼用注射器１を提供することが可能となる。
【００３６】
以上、本発明の実施の形態である容器兼用注射器３０について説明したが、詳細に説明したが、本発明の技術的思想を逸脱しない限り、これらに限定されることはなく、多少の設計変更等も可能である。
【図面の簡単な説明】
【００３７】
【図１】実施形態に係る容器兼用注射器の未使用時における側断面図である。
【図２】図１における容器兼用注射器の先端付近の部分拡大図である。
【図３】実施形態に係る容器兼用注射器においてプランジャロッドを押し込む途中過程における側断面図である。
【図４】従来の容器兼用注射器の側断面図である。
【図５】従来のシリンダの側断面図である。
【符号の説明】
【００３８】
１    シリンダ
１ａ  球面肩部
２    シリンダ本体
３    小径部
３ａ  フランジ部
４    フィンガーグリップ
５ａ  前部ストッパー
５ｂ  後部ストッパー
５ｃ  突出部
６    プランジャロッド
２０  ハブルアーロック
２１  基端部
２２  ルアー先
２２ａ       テーパ外周面
２２ｂ       連通孔
２３  ルアーロック部
２３ａ       ロックネジ
２４  嵌着孔
２４ａ       環状溝
２５  バイパスチャンバー
２６  バイパス溝
３０  容器兼用注射器
【図１】
2010094440.tif 000003
【図２】
2010094440.tif 000004
【図３】
2010094440.tif 000005
【図４】
2010094440.tif 000006
【図５】
2010094440.tif 000007